(57)【要約】      （修正有）【課題】実用性及び利便性を有する鼻用安眠シートを提供する。【解決手段】キャリア１０と吸水素材２０を有し、前記キャリア１０の一面に貼り合せゾーン１１が設けられ、前記吸水素材２０は、前記キャリア１０に設けられるとともに、前記吸水素材２０に揮発物２１が設けられることを特徴とする鼻用安眠シートである。前記揮発物を前記吸水素材に選択的に添加することにより、使用者に対して就寝時の安眠効果を提供するだけではなく、コストの低減及び使用上の利便性を向上する効果も有している。【選択図】図１
0003197105.tif 000002
【実用新案登録請求の範囲】
【請求項１】
キャリアと吸水素材を有し、前記キャリアの一面に貼り合せゾーンが設けられ、前記吸水素材は、前記キャリアに設けられるとともに、前記吸水素材に揮発物が設けられることを特徴とする鼻用安眠シート。
【請求項２】
前記キャリアは、通気性を有するプラスチック素材から構成されることを特徴とする請求項１に記載の鼻用安眠シート。
【請求項３】
前記キャリアには、粘着層を備え、前記粘着層が前記貼り合せゾーンに設けられることを特徴とする請求項１に記載の鼻用安眠シート。
【請求項４】
前記キャリアは、生物のファイバーから構成されることを特徴とする請求項１に記載の鼻用安眠シート。
【請求項５】
前記キャリアは、生物のファイバーから構成されることを特徴とする請求項１に記載の鼻用安眠シート。
【請求項６】
前記キャリアには、複数の貫通孔が形成されることを特徴とする請求項１に記載の鼻用安眠シート。
【請求項７】
前記吸水素材は、織物又は複合のプラスチック素材であることを特徴とする請求項１に記載の鼻用安眠シート。
【請求項８】
前記吸水素材は、不織布であることを特徴とする請求項１に記載の鼻用安眠シート。
【請求項９】
前記発揮物は、天然又は合成の精油であることを特徴とする請求項１に記載の鼻用安眠シート。
【請求項１０】
前記発揮物は、天然又は合成のエッセンスであることを特徴とする請求項１に記載の鼻用安眠シート。
【考案の詳細な説明】
【技術分野】
【０００１】
本考案は、鼻用安眠シートに関するものであり、特にキャリアと吸水素材を組み合わせて構成される鼻用安眠シートに関するものである。
【背景技術】
【０００２】
社会形態の進展に伴い、現代人の生活は、益々忙しくなり、そして仕事のストレスも大きくなってしまい、退社後において精神状態も緊張してしまう。不眠症は、酷い病ではないが、十分の休みが得られなくなったら、長時間を経て精神不振や思考鈍化などの状況が出てしまい、酷くなれば病になってしまう。この状況を緩和するために、研究者はこの不眠症患者の状況を改善するために、引き続き研究を進めている。現在、不眠症の状況を改善する様々な手段において、芳香治療法（アロマテラピー）が、よく使用されている。その原理は、精油を使用して触覚上のマッサージや臭覚上のいい匂いにより、生理上、筋肉の緊張に対する緩和、神経の安定化、並びに痛みを一時的に緩和する効果を達成する。そして、平穏や柔らかい感覚を感じて、ひいては心理と気分（例えば、焦慮の緩和、ストレスの緩和及び緊張感の緩和など）を影響するため、この芳香治療法は、睡眠の補佐に対して所定の効果を有している。
【考案の概要】
【考案が解決しようとする課題】
【０００３】
しかし、芳香治療法を施すには、その器具が煩雑であり、例えばステージ、加熱器及び精油などがあり、使用の空間にも制限されている。使用の範囲が広い場合、精油のいい匂いで安眠の効果を達成することができず、これ以外に、この芳香治療法を施すときに、優れた空気の対流を保持しなければならず、つまり完全に密閉になることができないため、使用上、様々な不便がある。そして、使用上の利便性を向上して、各式の場所にも適用できるとともに、安眠の効果を達成できるのは、本考案の課題として解決しようとする。
【０００４】
この課題に鑑み、本考案者は、かかる製品の開発や設計経験に基づき、前記の課題を解決するために、繰り返して研究をした後、ようやく実用性、利便性がある本考案を開発できた。
【０００５】
本考案の目的は、キャリアと吸水素材を組み合わせてから構成される鼻用安眠シートを提供する。使用者に対して就寝時の安眠効果を提供するだけではなく、その特別な設計によってコストの低減及び使用上の利便性を向上する効果も有している。
【課題を解決するための手段】
【０００６】
上記の目的を達成するために、本考案は、キャリアと吸水素材を有し、前記キャリアの一面に貼り合せゾーンが設けられ、前記吸水素材は、前記キャリアに設けられるとともに、前記吸水素材に揮発物が設けられることを特徴とする鼻用安眠シートを提供する。
【０００７】
前記鼻用安眠シートにおいて、前記キャリアは、通気性を有するプラスチック素材から構成されることを特徴とする。
【０００８】
前記鼻用安眠シートにおいて、前記キャリアには、粘着層を備え、前記粘着層が前記貼り合せゾーンに設けられることを特徴とする。
【０００９】
前記鼻用安眠シートにおいて、前記キャリアは、生物のファイバーから構成されることを特徴とする。
【００１０】
前記鼻用安眠シートにおいて、前記キャリアは、天然のファイバーから構成されることを特徴とする。
【００１１】
前記鼻用安眠シートにおいて、前記キャリアには、複数の貫通孔が形成されることを特徴とする。
【００１２】
前記鼻用安眠シートにおいて、前記吸水素材は、織物又は複合のプラスチック素材であることを特徴とする。
【００１３】
前記鼻用安眠シートにおいて、前記吸水素材は、不織布であることを特徴とする。
【００１４】
前記鼻用安眠シートにおいて、前記発揮物は、精油であることを特徴とする。
【００１５】
前記鼻用安眠シートにおいて、前記発揮物は、エッセンスであることを特徴とする。
【図面の簡単な説明】
【００１６】
【図１】本考案に係わる鼻用安眠シートの第１実施例の平面図である。
【図２】本考案に係わる鼻用安眠シートの第１実施例の断面図である。
【図３】本考案に係わる鼻用安眠シートの第２実施例の平面図である。
【図４】本考案に係わる鼻用安眠シートの第２実施例の断面図である。
【図５】本考案に係わる鼻用安眠シートの第３実施例の平面図である。
【図６】本考案に係わる鼻用安眠シートの第３実施例の断面図である。
【考案を実施するための形態】
【００１７】
図１は、本考案に係わる鼻用安眠シートの第１実施例の平面図であり、図２は、本考案に係わる鼻用安眠シートの第１実施例の断面図である。図１と図２に示すように、本考案に係わる鼻用安眠シートは、キャリア（１０）と吸水素材（２０）を有し、前記キャリアの（１０）一面に貼り合せゾーン（１１）が設けられ、前記吸水素材（２０）は、前記キャリア（１０）に設けられるとともに、前記吸水素材（２０）に揮発物（２１）が設けられる。
【００１８】
本実施例において、前記キャリア（１０）は、天然のファイバーで不織布の方式によって製造される。前記吸水素材（２０）は、織物又は複合のプラスチック素材である。また、前記の構成は、本考案の好適な実施例であり、本考案の実施範囲を限定するものではなく、実際に使用するときに、前記キャリア（１０）は、ほかの素材を使用しても構わなく、例えば、生物のファイバー又は合成のファイバーから構成される生物ファイバーのガーゼ又は合成ファイバーのガーゼなど、或いは、ほかの製造方式で製造され、例えば、ニット編みや平織りなど、前記吸水素材（２０）には、不織布などのように吸水性を有する材料又は吸水性を有するほかの材料を使用してもよい。
【００１９】
図１は、本考案に係わる鼻用安眠シートの第１実施例の平面図である。図１に示すように、本実施例を使用するとき、まずキャリア（１０）の貼り合せゾーン（１１）が水で濡れることにより柔らかくして、次に前記吸水素材（２０）に発揮物（２１）が添加し、最後に、前記キャリア（１０）の貼り合せゾーン（１１）を鼻に貼り合せ（この使用方式は、まず前記吸水素材（２０）に添加して包装され、この場合、前記キャリア（１０）の貼り合せゾーン（１１）を柔らかくして使用可能とする）、発揮物の発揮特性により、使用者は、発揮物のいい匂いを聞かせて、ひいては安眠やリラックスの効果を達成できる。また、貼り合せシートの設計で、コストを有効に低減することができるだけではなく、様々の場所にも使用可能とするため、使用上の利便性がある。本実施例における前記発揮物（２１）は、天然や合成の精油（例えば、バラ、ゼラニウム、椿オイル、サイプレス、松オイル、牛乳、ヨモギ及びラベンダーオイルなど）から選ばれるが、本考案の好適な実施例であるため、本考案の実施範囲を制限するものではなく、実際に使用する際、前記発揮物（２１）は、天然や合成のエッセンスを使用してもよい。
【００２０】
説明のために、下記図３ないし図６に示された鼻用安眠シートにおいて第１実施例と等しい構成について、図１と図２における等しい符号を付けてその詳細な説明を省略する。
【００２１】
図３は、本考案に係わる鼻用安眠シートの第２実施例の平面図であり、図４は、本考案に係わる鼻用安眠シートの第２実施例の断面図である。図３と図４に示すように、本考案に係わる鼻用安眠シートの第２実施例は、キャリア（１０）と吸水素材（２０）を有し、前記キャリアの（１０）一面に貼り合せゾーン（１１）が設けられ、前記吸水素材（２０）は、前記キャリア（１０）に設けられるとともに、前記吸水素材（２０）に揮発物（２１）が設けられる。
【００２２】
本実施例において、前記キャリア（１０）は、プラスチック素材から構成され、前記貼り合せゾーン（１１）には粘着層（３０）が設けられ、前記吸水素材（２０）は、織物又は複合のプラスチック素材であるが、本考案の好適な実施例であるため、本考案の実施範囲を制限するものではなく、実際に使用する際、前記キャリア（１０）は、ほかの好適な素材を使用してもよく、前記吸水素材（２０）には、不織布などのように吸水性を有する材料を使用してもよい。
【００２３】
図３は、本考案に係わる鼻用安眠シートの第２実施例の平面図である。図３に示すように、本実施例は、包帯のような設計であり、実際に使用するとき、まず発揮物（２１）を前記吸水素材（２０）に添加し、次に前記キャリア（１０）の粘着層（３０）によって鼻に貼り合せ（まず前記吸水素材（２０）に添加して包装され、この場合、前記キャリア（１０）の粘着層（３０１１）を鼻に貼り合せてよい）、発揮物の発揮特性により、使用者は、発揮物のいい匂いを聞かせて、ひいては安眠やリラックスの効果を達成できる。また、貼り合せシートの設計で、コストを有効に低減することができるだけではなく、様々の場所にも使用可能とするため、使用上の利便性がある。本実施例における前記発揮物（２１）は、天然や合成の精油（例えば、バラ、ゼラニウム、椿オイル、サイプレス、松オイル、牛乳、ヨモギ及びラベンダーオイルなど）から選ばれるが、本考案の好適な実施例であるため、本考案の実施範囲を制限するものではなく、実際に使用する際、前記発揮物（２１）は、天然や合成のエッセンスを使用してもよい。
【００２４】
図５は、本考案に係わる鼻用安眠シートの第３施例の平面図であり、図６は、本考案に係わる鼻用安眠シートの第３施例の断面図である。図５に示すように、本考案に係わる鼻用安眠シートの第３実施例は、キャリア（１０）と吸水素材（２０）を有し、前記キャリアの（１０）一面に貼り合せゾーン（１１）が設けられ、前記吸水素材（２０）は、前記キャリア（１０）に設けられるとともに、前記吸水素材（２０）に揮発物（２１）が設けられる。
【００２５】
本実施例において、前記キャリア（１０）は、プラスチック素材から構成されるとともに、粘着層（３０）と複数の貫通孔（４０）があり、前記貼り合せゾーン（１１）には粘着層（３０）が設けられ、前記貫通孔（４０）が前記キャリア（１０）を貫通し、前記吸水素材（２０）は、織物又は複合のプラスチック素材であるが、本考案の好適な実施例であるため、本考案の実施範囲を制限するものではなく、実際に使用する際、前記キャリア（１０）は、ほかの好適な素材を使用してもよく、前記吸水素材（２０）には、不織布などのように吸水性を有する材料を使用してもよい。
【００２６】
図５は、本考案に係わる鼻用安眠シートの第３施例の平面図であり、図６は、本考案に係わる鼻用安眠シートの第３施例の断面図である。図５に示すように、本実施例の使用方式は、前記第２実施例と等しく、異なるのは、前記キャリア（１０）には、複数の貫通孔（４０）が形成され、これらの貫通孔（４０）により、使用時の通気性を向上することができるので、通気性の悪いことによるアレルギー現象を防止することができる。
【００２７】
前記の説明により、本考案に属する領域における一般知識を有するものは、本考案が前記の目的を達成することができることを了解できるので、実用新案法に従って実用新案の出願を提出する。しかしながら、前述のものは、本考案の好適な実施例であり、これによって本考案の実施範囲を限定するためのものではないため、本考案における実用新案請求の範囲や明細書の内容に基づき効果が等しい変更や変更が本考案における実用新案請求の範囲に含まれることはいうまで必要もない。
【符号の説明】
【００２８】
１０    キャリア
１１    貼り合せゾーン
２０    吸水素材
２１    発揮物
３０    粘着層
４０    貫通孔
【図１】
0003197105.tif 000003
【図２】
0003197105.tif 000004
【図３】
0003197105.tif 000005
【図４】
0003197105.tif 000006
【図５】
0003197105.tif 000007
【図６】
0003197105.tif 000008
【手続補正書】
【提出日】平成27年2月12日(2015.2.12)
【手続補正１】
【補正対象書類名】実用新案登録請求の範囲
【補正対象項目名】全文
【補正方法】変更
【補正の内容】
【実用新案登録請求の範囲】
【請求項１】
キャリアと吸水素材を有し、前記吸水素材は、前記キャリアの一面に設けられ、前記キャリアの一面に、鼻に貼り付けるための貼り付けゾーンが、前記吸水素材を取り囲むように設けられ、前記吸水素材には揮発物が含まれることを特徴とする鼻用安眠シート。
【請求項２】
前記キャリアは、通気性を有するプラスチック素材から構成されることを特徴とする請求項１に記載の鼻用安眠シート。
【請求項３】
前記キャリアには、粘着層を備え、前記粘着層が前記貼り付けゾーンに設けられることを特徴とする請求項１に記載の鼻用安眠シート。
【請求項４】
前記キャリアは、生物のファイバーから構成されることを特徴とする請求項１に記載の鼻用安眠シート。
【請求項５】
前記キャリアは、天然のファイバーから構成されることを特徴とする請求項１に記載の鼻用安眠シート。
【請求項６】
前記キャリアには、複数の貫通孔が形成されることを特徴とする請求項１に記載の鼻用安眠シート。
【請求項７】
前記吸水素材は、織物又は複合のプラスチック素材であることを特徴とする請求項１に記載の鼻用安眠シート。
【請求項８】
前記吸水素材は、不織布であることを特徴とする請求項１に記載の鼻用安眠シート。
【請求項９】
前記揮発物は、天然又は合成の精油であることを特徴とする請求項１に記載の鼻用安眠シート。
【請求項１０】
前記揮発物は、天然又は合成のエッセンスであることを特徴とする請求項１に記載の鼻用安眠シート。
【手続補正２】
【補正対象書類名】明細書
【補正対象項目名】全文
【補正方法】変更
【補正の内容】
【考案の詳細な説明】
【技術分野】
【０００１】
本考案は、鼻用安眠シートに関するものであり、特にキャリアと吸水素材を組み合わせて構成される鼻用安眠シートに関するものである。
【背景技術】
【０００２】
社会形態の進展に伴い、現代人の生活は、益々忙しくなり、そして仕事のストレスも大きくなってしまい、退社後において精神状態も緊張してしまう。不眠症は、酷い病ではないが、十分の休みが得られなくなったら、長時間を経て精神不振や思考鈍化などの状況が出てしまい、酷くなれば病になってしまう。この状況を緩和するために、研究者はこの不眠症患者の状況を改善するために、引き続き研究を進めている。現在、不眠症の状況を改善する様々な手段において、芳香治療法（アロマテラピー）が、よく使用されている。その原理は、精油を使用して触覚上のマッサージや臭覚上のいい匂いにより、生理上、筋肉の緊張に対する緩和、神経の安定化、並びに痛みを一時的に緩和する効果を達成する。そして、平穏や柔らかい感覚を感じて、ひいては心理と気分（例えば、焦慮の緩和、ストレスの緩和及び緊張感の緩和など）を影響するため、この芳香治療法は、睡眠の補佐に対して所定の効果を有している。
【考案の概要】
【考案が解決しようとする課題】
【０００３】
しかし、芳香治療法を施すには、その器具が煩雑であり、例えばステージ、加熱器及び精油などがあり、使用の空間にも制限されている。使用の範囲が広い場合、精油のいい匂いで安眠の効果を達成することができず、これ以外に、この芳香治療法を施すときに、優れた空気の対流を保持しなければならず、つまり完全に密閉になることができないため、使用上、様々な不便がある。そして、使用上の利便性を向上して、各式の場所にも適用できるとともに、安眠の効果を達成できるのは、本考案の課題として解決しようとする。
【０００４】
この課題に鑑み、本考案者は、かかる製品の開発や設計経験に基づき、前記の課題を解決するために、繰り返して研究をした後、ようやく実用性、利便性がある本考案を開発できた。
【０００５】
本考案の目的は、キャリアと吸水素材を組み合わせてから構成される鼻用安眠シートを提供する。使用者に対して就寝時の安眠効果を提供するだけではなく、その特別な設計によってコストの低減及び使用上の利便性を向上する効果も有している。
【課題を解決するための手段】
【０００６】
上記の目的を達成するために、本考案は、キャリアと吸水素材を有し、前記キャリアの一面に貼り付けゾーンが設けられ、前記吸水素材は、前記キャリアに設けられるとともに、前記吸水素材に揮発物が設けられることを特徴とする鼻用安眠シートを提供する。
【０００７】
前記鼻用安眠シートにおいて、前記キャリアは、通気性を有するプラスチック素材から構成されることを特徴とする。
【０００８】
前記鼻用安眠シートにおいて、前記キャリアには、粘着層を備え、前記粘着層が前記貼り付けゾーンに設けられることを特徴とする。
【０００９】
前記鼻用安眠シートにおいて、前記キャリアは、生物のファイバーから構成されることを特徴とする。
【００１０】
前記鼻用安眠シートにおいて、前記キャリアは、天然のファイバーから構成されることを特徴とする。
【００１１】
前記鼻用安眠シートにおいて、前記キャリアには、複数の貫通孔が形成されることを特徴とする。
【００１２】
前記鼻用安眠シートにおいて、前記吸水素材は、織物又は複合のプラスチック素材であることを特徴とする。
【００１３】
前記鼻用安眠シートにおいて、前記吸水素材は、不織布であることを特徴とする。
【００１４】
前記鼻用安眠シートにおいて、前記発揮物は、精油であることを特徴とする。
【００１５】
前記鼻用安眠シートにおいて、前記発揮物は、エッセンスであることを特徴とする。
【図面の簡単な説明】
【００１６】
【図１】本考案に係わる鼻用安眠シートの第１実施例の平面図である。
【図２】本考案に係わる鼻用安眠シートの第１実施例の断面図である。
【図３】本考案に係わる鼻用安眠シートの第２実施例の平面図である。
【図４】本考案に係わる鼻用安眠シートの第２実施例の断面図である。
【図５】本考案に係わる鼻用安眠シートの第３実施例の平面図である。
【図６】本考案に係わる鼻用安眠シートの第３実施例の断面図である。
【考案を実施するための形態】
【００１７】
図１は、本考案に係わる鼻用安眠シートの第１実施例の平面図であり、図２は、本考案に係わる鼻用安眠シートの第１実施例の断面図である。図１と図２に示すように、本考案に係わる鼻用安眠シートは、キャリア（１０）と吸水素材（２０）を有し、前記キャリアの（１０）一面に貼り付けゾーン（１１）が設けられ、前記吸水素材（２０）は、前記キャリア（１０）に設けられるとともに、前記吸水素材（２０）に揮発物（２１）が設けられる。
【００１８】
本実施例において、前記キャリア（１０）は、天然のファイバーで不織布の方式によって製造される。前記吸水素材（２０）は、織物又は複合のプラスチック素材である。また、前記の構成は、本考案の好適な実施例であり、本考案の実施範囲を限定するものではなく、実際に使用するときに、前記キャリア（１０）は、ほかの素材を使用しても構わなく、例えば、生物のファイバー又は合成のファイバーから構成される生物ファイバーのガーゼ又は合成ファイバーのガーゼなど、或いは、ほかの製造方式で製造され、例えば、ニット編みや平織りなど、前記吸水素材（２０）には、不織布などのように吸水性を有する材料又は吸水性を有するほかの材料を使用してもよい。
【００１９】
図１は、本考案に係わる鼻用安眠シートの第１実施例の平面図である。図１に示すように、本実施例を使用するとき、まずキャリア（１０）の貼り付けゾーン（１１）が水で濡れることにより柔らかくして、次に前記吸水素材（２０）に発揮物（２１）が添加し、最後に、前記キャリア（１０）の貼り付けゾーン（１１）を鼻に貼り付け（この使用方式は、まず前記吸水素材（２０）に添加して包装され、この場合、前記キャリア（１０）の貼り付けゾーン（１１）を柔らかくして使用可能とする）、発揮物の発揮特性により、使用者は、発揮物のいい匂いを聞かせて、ひいては安眠やリラックスの効果を達成できる。また、貼り付けシートの設計で、コストを有効に低減することができるだけではなく、様々の場所にも使用可能とするため、使用上の利便性がある。本実施例における前記発揮物（２１）は、天然や合成の精油（例えば、バラ、ゼラニウム、椿オイル、サイプレス、松オイル、牛乳、ヨモギ及びラベンダーオイルなど）から選ばれるが、本考案の好適な実施例であるため、本考案の実施範囲を制限するものではなく、実際に使用する際、前記発揮物（２１）は、天然や合成のエッセンスを使用してもよい。
【００２０】
説明のために、下記図３ないし図６に示された鼻用安眠シートにおいて第１実施例と等しい構成について、図１と図２における等しい符号を付けてその詳細な説明を省略する。
【００２１】
図３は、本考案に係わる鼻用安眠シートの第２実施例の平面図であり、図４は、本考案に係わる鼻用安眠シートの第２実施例の断面図である。図３と図４に示すように、本考案に係わる鼻用安眠シートの第２実施例は、キャリア（１０）と吸水素材（２０）を有し、前記キャリアの（１０）一面に貼り付けゾーン（１１）が設けられ、前記吸水素材（２０）は、前記キャリア（１０）に設けられるとともに、前記吸水素材（２０）に揮発物（２１）が設けられる。
【００２２】
本実施例において、前記キャリア（１０）は、プラスチック素材から構成され、前記貼り付けゾーン（１１）には粘着層（３０）が設けられ、前記吸水素材（２０）は、織物又は複合のプラスチック素材であるが、本考案の好適な実施例であるため、本考案の実施範囲を制限するものではなく、実際に使用する際、前記キャリア（１０）は、ほかの好適な素材を使用してもよく、前記吸水素材（２０）には、不織布などのように吸水性を有する材料を使用してもよい。
【００２３】
図３は、本考案に係わる鼻用安眠シートの第２実施例の平面図である。図３に示すように、本実施例は、包帯のような設計であり、実際に使用するとき、まず発揮物（２１）を前記吸水素材（２０）に添加し、次に前記キャリア（１０）の粘着層（３０）によって鼻に貼り付け（まず前記吸水素材（２０）に添加して包装され、この場合、前記キャリア（１０）の粘着層（３０１１）を鼻に貼り付けてよい）、発揮物の発揮特性により、使用者は、発揮物のいい匂いを聞かせて、ひいては安眠やリラックスの効果を達成できる。また、貼り付けシートの設計で、コストを有効に低減することができるだけではなく、様々の場所にも使用可能とするため、使用上の利便性がある。本実施例における前記発揮物（２１）は、天然や合成の精油（例えば、バラ、ゼラニウム、椿オイル、サイプレス、松オイル、牛乳、ヨモギ及びラベンダーオイルなど）から選ばれるが、本考案の好適な実施例であるため、本考案の実施範囲を制限するものではなく、実際に使用する際、前記発揮物（２１）は、天然や合成のエッセンスを使用してもよい。
【００２４】
図５は、本考案に係わる鼻用安眠シートの第３施例の平面図であり、図６は、本考案に係わる鼻用安眠シートの第３施例の断面図である。図５に示すように、本考案に係わる鼻用安眠シートの第３実施例は、キャリア（１０）と吸水素材（２０）を有し、前記キャリアの（１０）一面に貼り付けゾーン（１１）が設けられ、前記吸水素材（２０）は、前記キャリア（１０）に設けられるとともに、前記吸水素材（２０）に揮発物（２１）が設けられる。
【００２５】
本実施例において、前記キャリア（１０）は、プラスチック素材から構成されるとともに、粘着層（３０）と複数の貫通孔（４０）があり、前記貼り付けゾーン（１１）には粘着層（３０）が設けられ、前記貫通孔（４０）が前記キャリア（１０）を貫通し、前記吸水素材（２０）は、織物又は複合のプラスチック素材であるが、本考案の好適な実施例であるため、本考案の実施範囲を制限するものではなく、実際に使用する際、前記キャリア（１０）は、ほかの好適な素材を使用してもよく、前記吸水素材（２０）には、不織布などのように吸水性を有する材料を使用してもよい。
【００２６】
図５は、本考案に係わる鼻用安眠シートの第３施例の平面図であり、図６は、本考案に係わる鼻用安眠シートの第３施例の断面図である。図５に示すように、本実施例の使用方式は、前記第２実施例と等しく、異なるのは、前記キャリア（１０）には、複数の貫通孔（４０）が形成され、これらの貫通孔（４０）により、使用時の通気性を向上することができるので、通気性の悪いことによるアレルギー現象を防止することができる。
【００２７】
前記の説明により、本考案に属する領域における一般知識を有するものは、本考案が前記の目的を達成することができることを了解できるので、実用新案法に従って実用新案の出願を提出する。しかしながら、前述のものは、本考案の好適な実施例であり、これによって本考案の実施範囲を限定するためのものではないため、本考案における実用新案請求の範囲や明細書の内容に基づき効果が等しい変更や変更が本考案における実用新案請求の範囲に含まれることはいうまで必要もない。
【符号の説明】
【００２８】
１０    キャリア
１１    貼り付けゾーン
２０    吸水素材
２１    発揮物
３０    粘着層
４０    貫通孔